【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
互いに異なる帯域を有する複数の受信信号それぞれでダウン変換する信号を選択して出力するＲＦフィルタ部、
前記フィルタ部の出力信号の間に位相差を発生させながら前記フィルタ部の出力信号をダウン変換して複数のサンプル信号を出力する位相変換部、
前記複数のサンプル信号を離散信号からデジタル信号に変換する量子化部、および
前記位相差によって発生した位相遷移値を用いて前記量子化部の出力信号から前記複数の受信信号に対応する複数の出力信号をそれぞれ分離して出力する信号分離部
を備えた受信装置。
【請求項２】
前記複数の受信信号は第１受信信号、第２受信信号、および第３受信信号を含み、前記複数の出力信号は前記第１受信信号に対応する第１出力信号、前記第２受信信号に対応する第２出力信号、および前記第３受信信号に対応する第３出力信号を含む請求項１に記載の受信装置。
【請求項３】
前記信号分離部は、
前記量子化部の出力信号のうちのいずれか１つの信号である第１信号を受信して第４出力信号を出力する第１インターポラント、
前記量子化部の出力信号のうちのいずれか１つの信号である第２信号を受信して第５出力信号を出力する第２インターポラント、
前記第４出力信号および前記第５出力信号を合わせる第１加算器、
第１加算器の加算結果を受信して前記第１出力信号を選択して出力する低域通過フィルタ、および
第１加算器の加算結果を受信して前記第２出力信号を選択して出力する高域通過フィルタ
を備えた請求項２に記載の受信装置。
【請求項４】
前記第１インターポラントのフィルタ係数値は、
周波数の絶対値が帯域幅よりも小さい場合には前記帯域幅の逆数であり、
その他の場合には０である請求項３に記載の受信装置。
【請求項５】
前記第２インターポラントのフィルタ係数値は、
周波数が帯域幅の負の値と０との間である場合には、前記第３受信信号の負の周波数成分の位相遷移の負の値を前記帯域幅で割る値であり、
前記周波数が０と帯域幅との間である場合には、前記第３受信信号の正の周波数成分の位相遷移の負の値を前記帯域幅で割る値であり、
その他の場合には０である請求項３に記載の受信装置。
【請求項６】
前記第１出力信号は、
周波数が０と前記第１出力信号および前記第２出力信号の中心周波数との間である場合には１であり、
その他の場合には０である請求項３に記載の受信装置。
【請求項７】
前記第２出力信号は、
前記周波数が前記中心周波数とサンプリング周波数の二分の一の値との間である場合には１であり、
その他の場合には０である請求項６に記載の受信装置。
【請求項８】
前記信号分離部は、
前記第２信号を受信して第６出力信号を出力する第３インターポラント、および
前記第４出力信号および前記第６出力信号を合わせて前記第３出力信号を出力する第２加算器
をさらに備えた請求項３に記載の受信装置。
【請求項９】
前記第３インターポラントのフィルタ係数値は、
周波数がサンプリング周波数の二分の一の負の値と前記第１出力信号および前記第２出力信号の中心周波数の負の値との間である場合には、前記第２受信信号の負の周波数成分の位相遷移の負の値を帯域幅で割る値であり、
前記周波数が前記中心周波数の負の値と０との間である場合には、前記第１受信信号の負の周波数成分の位相遷移の負の値を前記帯域幅で割る値であり、
前記周波数が０と前記中心周波数との間である場合には、第１受信信号の正の周波数成分の位相遷移の負の値を前記帯域幅で割る値であり、
前記周波数が前記中心周波数と前記サンプリング周波数の二分の一の値との間である場合には、前記第２受信信号の正の周波数成分の位相遷移の負の値を帯域幅で割る値であり、
その他の場合には０である請求項８に記載の受信装置。
【請求項１０】
前記位相変換部は、時間差を有するクロック信号を受信して前記位相差をそれぞれ発生させる第１サンプラーおよび第２サンプラーを含み、
前記量子化部は、前記第１サンプラーおよび前記第２サンプラーにそれぞれ対応する第１量子化部および第２量子化部を含む請求項１に記載の受信装置。
【請求項１１】
前記ＲＦフィルタ部は、少なくとも１つの帯域通過フィルタを含む請求項１に記載の受信装置。
【請求項１２】
互いに異なる帯域の第１受信信号、第２受信信号、および第３受信信号をそれぞれ異なる位相遷移（ｓｈｉｆｔ）値を有してダウン変換し、前記第１受信信号に対応する第１出力信号、前記第２受信信号に対応する第２出力信号、および前記第３受信信号に対応する第３出力信号を出力する受信装置であって、
周波数の絶対値が帯域幅よりも小さい場合には前記帯域幅の逆数を、その他の場合には０をフィルタ係数値として有して第４出力信号を出力する第１インターポラント、
前記周波数が前記帯域幅の負の値と０との間である場合には、前記第３受信信号の負の周波数成分の位相遷移の負の値を前記帯域幅で割る値を、前記周波数が０と帯域幅との間の場合には、前記第３受信信号の正の周波数成分の位相遷移の負の値を前記帯域幅で割る値を、その他の場合には０をフィルタ係数値として有して第５出力信号を出力する第２インターポラント、
前記第４出力信号および前記第５出力信号を合わせて第６出力信号を出力する第１加算器、
前記第６出力信号を受信し、前記周波数が０と第１出力信号および前記第２出力信号の中心周波数との間である場合には１を、その他の場合には０を前記第１出力信号として出力する低域通過フィルタ、
前記第６出力信号を受信し、前記周波数が前記中心周波数とサンプリング周波数の二分の一の値との間である場合には１を、その他の場合には０を前記第２出力信号として出力する高域通過フィルタ、
前記周波数がサンプリング周波数の二分の一の負の値と前記中心周波数の負の値との間である場合には、前記第２受信信号の負の周波数成分の位相遷移の負の値を帯域幅で割る値を、前記周波数が前記中心周波数の負の値と０との間である場合には、前記第１受信信号の負の周波数成分の位相遷移の負の値を前記帯域幅で割る値を、前記周波数が０と前記中心周波数との間である場合には、第１受信信号の正の周波数成分の位相遷移の負の値を前記帯域幅で割る値を、前記周波数が前記中心周波数と前記サンプリング周波数の二分の一の値との間である場合には、前記第２受信信号の正の周波数成分の位相遷移の負の値を帯域幅の二分の一の値を、その他の場合には０をフィルタ係数値として有し、第７出力信号を出力する第３インターポラント、および
前記第４出力信号および前記第７出力信号を合わせて前記第３出力信号として出力する第２加算器
を備えた受信装置。
【請求項１３】
受信装置が互いに異なる帯域を有する複数の受信信号を受信する方法であって、
前記複数の受信信号の間に位相差を発生させながら前記複数の受信信号をダウン変換して複数のサンプル信号を出力するステップ、
前記複数のサンプル信号を離散信号からデジタル信号に変換するステップ、および
前記位相差によって発生した位相遷移値を用いて前記デジタル信号に変換された前記複数のサンプル信号から前記複数の受信信号に対応する複数の出力信号をそれぞれ分離して出力するステップ
を備えた受信方法。
【請求項１４】
前記複数の受信信号は第１受信信号、第２受信信号、および第３受信信号を含み、前記複数の出力信号は前記第１受信信号に対応する第１出力信号、前記第２受信信号に対応する第２出力信号、および前記第３受信信号に対応する第３出力信号を含み、
前記分離して出力するステップは、
前記デジタル信号に変換された前記複数のサンプル信号を含む第１信号を受信して第４出力信号を出力するステップ、
前記デジタル信号に変換された前記複数のサンプル信号がそれぞれ異なる位相遷移値を有して共存する第２信号を受信して第５出力信号を出力するステップ、
前記第４出力信号および前記第５出力信号を合わせるステップ、
前記合わせた結果から前記第１出力信号を選択して出力するステップ、および
前記合わせた結果から前記第２出力信号を選択して出力するステップ
を含む請求項１３に記載の受信方法。
【請求項１５】
前記第１信号を受信して第４出力信号を出力するステップは、
周波数の絶対値が帯域幅よりも小さい場合には前記帯域幅の逆数であり、
その他の場合には０であるフィルタ係数値に基づいて実行される請求項１４に記載の受信方法。
【請求項１６】
前記第２信号を受信して第５出力信号を出力するステップは、
周波数が帯域幅の負の値と０との間である場合には、前記第３受信信号の負の周波数成分の位相遷移の負の値を前記帯域幅で割る値であり、
前記周波数が０と帯域幅との間の場合には、前記第３受信信号の正の周波数成分の位相遷移の負の値を前記帯域幅で割る値であり、
その他の場合には０であるフィルタ係数値に基づいて実行される請求項１４に記載の受信方法。
【請求項１７】
前記第１出力信号は、
周波数が０と前記第１出力信号および前記第２出力信号の中心周波数との間である場合には１であり、
その他の場合には０である請求項１４に記載の受信方法。
【請求項１８】
前記第２出力信号は、
前記周波数が前記中心周波数とサンプリング周波数の二分の一の値との間である場合には１であり、
その他の場合には０である請求項１７に記載の受信方法。
【請求項１９】
前記分離して出力するステップは、
前記第２信号を受信して第６出力信号を出力するステップ、および
前記第４出力信号および前記第６出力信号を合わせて前記第３出力信号を出力するステップ
を含む請求項１４に記載の受信方法。
【請求項２０】
前記第２信号を受信して第６出力信号を出力するステップは、
周波数がサンプリング周波数の二分の一の負の値と前記第１出力信号および前記第２出力信号の中心周波数の負の値との間である場合には、前記第２受信信号の負の周波数成分の位相遷移の負の値を帯域幅で割る値であり、
前記周波数が前記中心周波数の負の値と０との間である場合には、前記第１受信信号の負の周波数成分の位相遷移の負の値を前記帯域幅で割る値であり、
前記周波数が０と前記中心周波数との間である場合には、第１受信信号の正の周波数成分の位相遷移の負の値を前記帯域幅で割る値であり、
前記周波数が前記中心周波数と前記サンプリング周波数の二分の一の値との間である場合には、前記第２受信信号の正の周波数成分の位相遷移の負の値を帯域幅で割る値であり、
その他の場合には０であるフィルタ係数値に基づいて実行される請求項１９に記載の受信方法。
【手続補正２】
【補正対象書類名】明細書
【補正対象項目名】００２０
【補正方法】変更
【補正の内容】
【００２０】
位相変換部は、時間差を有するクロック信号を受信して位相差を発生させる少なくとも１つのサンプラーを含んでもよい。
【手続補正３】
【補正対象書類名】明細書
【補正対象項目名】００４５
【補正方法】変更
【補正の内容】
【００４５】
ＲＦフィルタ部１１１、１１２、１１３それぞれは、アンテナが受信した互いに異なる帯域を有する３つのＲＦ信号Ｒ0（ｆ）、Ｒ1（ｆ）、Ｒ2（ｆ）を同時に受信してダウン変換するＲＦ信号を選択し、選択されたＲＦ信号の雑音およびエイリアシング（ａｉｌｉａｓｉｎｇ）を除去する。これにより、フィルタ部１１１、１１２、１１３は、チューナブル帯域通過フィルタ（ｔｕｎａｂｌｅ  ｂａｎｄ  ｐａｓｓ  ｆｉｌｔｅｒ）であってもよい。フィルタ部１１１、１１２、１１３は、それぞれ低雑音増幅器（ｌｏｗ  ｎｏｉｓｅ  ａｍｐｌｉｆｉｅｒ；ＬＮＡ）を含んでもよい。
【手続補正４】
【補正対象書類名】明細書
【補正対象項目名】００４６
【補正方法】変更
【補正の内容】
【００４６】
位相変換部１２０は、予め設定されたサンプリング周波数ｆｓを用いてＲＦフィルタ部１１１、１１２、１１３で選択されたＲＦ信号をサンプル信号にダウン変換する。このとき、サンプリング周波数ｆｓは、少なくともＲＦ信号の帯域幅Ｂの２倍（２Ｂ）で設定してもよい。位相変換部１２０は、２つのサンプラー（ｓａｍｐｌｅｒ）１２１、１２２を含んでもよい。２つのサンプラー１２１、１２２は、ＴΔの時間差を有するクロック信号をクロック発生部１２５から受信してＴΔの時間差を有する２つのサンプル信号を生成することによって２つの信号間に位相差を発生させてもよい。
【手続補正５】
【補正対象書類名】図面
【補正対象項目名】図１
【補正方法】変更
【補正の内容】
【図１】
2011055499.tif 000001